(57)【要約】【課題】  落下による衝撃を受けても、縦材と横材のズレが発生することのない構造体を提供する。【解決手段】  縦材と、横材を備え、横材の端面を縦材の側面に突き合わせてあり、縦材は、横材側に突出する突起を有しており、横材は、縦壁と、見込壁と、タッピングホールを有しており、横材の見込壁を挟んで、縦材の突起と横材の縦壁が略連続しており、横材のタッピングホールが、見込壁の、縦壁又は突起に隣接する位置に設けてあり、縦材を横材のタッピングホールにネジ止めしてある。【選択図】      図１
2018115430.tif 000002
【特許請求の範囲】
【請求項１】
縦材と、横材を備え、横材の端面を縦材の側面に突き合わせてあり、縦材は、横材側に突出する突起を有しており、横材は、縦壁と、見込壁と、タッピングホールを有しており、横材の見込壁を挟んで、縦材の突起と横材の縦壁が略連続しており、横材のタッピングホールが、見込壁の、縦壁又は突起に隣接する位置に設けてあり、縦材を横材のタッピングホールにネジ止めしてあることを特徴とする構造体。
【発明の詳細な説明】
【技術分野】
【０００１】
本発明は、縦材と横材を備えるフェンスなどの構造体に関する。
【背景技術】
【０００２】
従来、フェンスなどの構造体において、図６に示すように、下材１０２の見込壁１２２の前後方向中央にタッピングホール１２３を設けてあり、下材１０２の端面に縦材１０１を取り付けてあって、下材１０２のタッピングホール１２３に縦材１０１をネジ止めしたものがある。
【発明の概要】
【発明が解決しようとする課題】
【０００３】
このような構造体が、梱包状態で落下して、下材１０２が地面に衝突すると、縦材１０１に固定されている上材などの荷重が下材１０２のネジ止め部に掛かり、タッピングホール１２３からネジの先端が抜けたり、タッピングホール１２３を設けた見込壁１２２が変形したりして、縦材１０１と下材１０２のズレが発生する場合があった。
【０００４】
本発明は、上記事情を鑑みたものであり、落下による衝撃を受けても、縦材と横材のズレが発生することのない構造体を提供することを目的とする。
【課題を解決するための手段】
【０００５】
本発明は、縦材と、横材を備え、横材の端面を縦材の側面に突き合わせてあり、縦材は、横材側に突出する突起を有しており、横材は、縦壁と、見込壁と、タッピングホールを有しており、横材の見込壁を挟んで、縦材の突起と横材の縦壁が略連続しており、横材のタッピングホールが、見込壁の、縦壁又は突起に隣接する位置に設けてあり、縦材を横材のタッピングホールにネジ止めしてあることを特徴とする。
【発明の効果】
【０００６】
本発明によれば、横材の縦壁が縦材の突起と略連続しており、落下時の衝撃荷重をネジ止め部と縦材の突起で分散して受けるものであり、また、タッピングホールが、見込壁の、縦壁又は突起に隣接する位置に設けてあるものなので、タッピングホールからネジが抜けたり、タッピングホールを設けた見込壁が変形したりすることがなく、縦材と横材のズレが発生しない。
【図面の簡単な説明】
【０００７】
【図１】縦材と下材の連結部を示す縦断面図である。
【図２】縦材と下材の連結部を示す横断面図である。
【図３】縦材と下材の連結部を示す分解斜視図である。
【図４】縦材と上材の連結部を示す縦断面図である。
【図５】構造体の正面図である。
【図６】従来の構造体における縦材と下材の連結部を示す縦断面図である。
【発明を実施するための形態】
【０００８】
以下、本発明の実施の形態を図面に基づいて説明する。この構造体は、種々の用途に用いられるものであるが、ここでは住宅の敷地境界などに設置されるフェンスの場合を例に挙げる。図５に示すように、このフェンスは、左右に並べて立設した支柱５の前側にパネル体１０を取り付けたものであり、前側が道路側、後側が家側となる。パネル体１０は、左右の縦材１の間に、下材（横材）２、上材３及び３本の中間材４を取り付けて面状に形成したものである。なお、縦材１、下材２、上材３、中間材４及び支柱５は、何れもアルミ製の押出形材からなる。
【０００９】
縦材１は、図１及び図２に示すように、断面略矩形の前側ホロー部１２及び後側ホロー部１３と、前側ホロー部１２と後側ホロー部１３を連結する連結壁１４を備え、後側ホロー部１３の内周側面（下材２、上材３及び中間材４側の面）の前端部から内周側に向けて突出する突起１１を設けてあり、前側ホロー部１２の内周側面の前端部から内周側に向けて突出する前側片１５を設けてある。突起１１及び前側片１５は、何れも縦材１の長手方向（上下方向）に沿って延びるものであるが、突起１１は下端部及び上端部を切除してあり、前側片１５よりも短くなっている。なお、縦材１の外周側には、後述の下材２、上材３及び中間材４を取り付けるネジを覆い隠すカバー材１６を取り付けてある。
【００１０】
下材２は、図１に示すように、断面略矩形の上側ホロー部２４及び下側ホロー部２５を備える。上側ホロー部２４は下側ホロー部２５よりも上下に長く、両者の前側面は面一であり、後側面は下側ホロー部２５の方が僅かに後側に突出している。ここで、下側ホロー部２５の後側面を構成する壁面を縦壁２１、下側ホロー部２５の上側面及び上側ホロー部２４の下側面を共通して構成する壁面を見込壁２２、上側ホロー部２４の後側面を構成する壁面を見付壁２６とする。また、見込壁２２は後側に延出しており、後端で下側に屈曲した上側突出片２７を形成している。さらに、下側ホロー部２５の下端部から後側に延出して後端で下側に屈曲した下側突出片２８を設けてある。そして、上側ホロー部２４内に、上下２つのタッピングホール２３，２９を設けてある。下側のタッピングホール２３は、下端部後側、すなわち見込壁２２と見付壁２６が交わる角部に設けてあり、断面略Ｃ字形で、見込方向（前側）に向けて開口している。上側のタッピングホール２９は、上端部後側、すなわち、上側ホロー部２４の上側面と見付壁２６が交わる角部に設けてあり、断面略Ｃ字形で、前側下方に向けて開口している。
【００１１】
このように形成した縦材１と下材２について、図１〜図３に示すように、下材２の端面を縦材１の側面の下端部に突き合わせて接合してある。この際、下材２の下端が、縦材１の下端よりも下側に位置する。また、下材２の上側ホロー部２４が、縦材１の突起１１と前側片１５の間に丁度納まり、下材２の見付壁２６及びタッピングホール２３，２９が、縦材１の突起１１の見込方向（前側）に隣接している。さらに、突起１１の下端が、下材２の見込壁２２に上側から当接しており、下側ホロー部２５の後側面（縦壁２１）は上側ホロー部２４の後側面よりも後側に突出しているので、下材２の見込壁２２を挟んで、縦材１の突起１１と下材２の縦壁２１が上下方向の一直線上に略連続している。そして、縦材１の、下材２の２つのタッピングホール２３，２９に対応する位置にはネジ孔を形成してあり、外周側からネジ孔にネジを挿入して、縦材１を下材２のタッピングホール２３，２９にネジ止めしてある。
【００１２】
また、上材３は、図４に示すように、断面略矩形の下側ホロー部３４及び上側ホロー部３５を備える。下側ホロー部３４は上側ホロー部３５よりも上下に長く、両者の前側面は面一であり、後側面は上側ホロー部３５の方が僅かに後側に突出している。ここで、上側ホロー部３５の後側面を構成する壁面を縦壁３１、上側ホロー部３５の下側面及び下側ホロー部３４の上側面を共通して構成する壁面を見込壁３２、下側ホロー部３４の後側面を構成する壁面を見付壁３６とする。また、見込壁３２は後側に延出しており、上側ホロー部３５の後側面の下端部から後側に向けて略矩形状に突出した突出部３７を形成している。さらに、上側ホロー部３５の上端部から後側に延出して後端で下側に屈曲した突出片３８を設けてある。そして、下側ホロー部３４内に、上下２つのタッピングホール３３，３９を設けてある。上側のタッピングホール３３は、上端部後側、すなわち見込壁３２と見付壁３６が交わる角部に設けてあり、断面略Ｃ字形で、前側下方に向けて開口している。下側のタッピングホール３９は、下端部後側、すなわち、下側ホロー部３４の下側面と見付壁３６が交わる角部に設けてあり、断面略Ｃ字形で、前側上方に向けて開口している。
【００１３】
このように形成した上材３についても、図４に示すように、上材３の端面を縦材１の側面の上端部に突き合わせて接合してある。この際、上材３の上端が、縦材１の上端よりも上側に位置する。また、上材３の下側ホロー部３４が、縦材１の突起１１と前側片１５の間に丁度納まり、上材３の見付壁３６及びタッピングホール３３，３９が、縦材１の突起１１の見込方向（前側）に隣接している。さらに、突起１１の上端が、上材３の見込壁３２に下側から当接している。そして、縦材１の、上材３の２つのタッピングホール３３，３９に対応する位置にはネジ孔を形成してあり、外周側からネジ孔にネジを挿入して、縦材１を上材３のタッピングホール３３，３９にネジ止めしてある。
【００１４】
さらに、中間材４は、図４に示すように、断面略矩形の中空形材からなり、後側面の上下方向中央部に、断面略Ｃ字形で下向きに開口するタッピングホール４１を設けてあり、さらにタッピングホール４１から前側面まで延びる見込壁４２を設けてある。３本の中間材４は同形状であって、下材２と上材３の間に等間隔に並んで配置してあり、縦材１側からタッピングホール４１にネジ止めしてある。
【００１５】
このようにして、左右の縦材１の間に、下材２、上材３及び３本の中間材４を取り付けて、面状のパネル体１０を形成してあり、この状態で梱包され、搬送される。そして、このパネル体１０を、左右に並べて立設した支柱５の前側に取り付けてある。より詳しくは、図１に示すように、支柱５の下部に略Ｌ字形の支持具６をネジ止めして取り付けてあり、支持具６にパネル体１０（下材２）を載置してある。また、図４に示すように、支柱５の上端部の前側面に貫通孔５１を形成してあり、貫通孔５１に、引寄せ具７を挿入してある。引寄せ具７は、上向き片からなる前側の係合部７１と、下向き片からなる後側の固定部７２と、係合部７１と固定部７２をつなぐ連結部７３を有しており、貫通孔５１から係合部７１が前側に突出している。そして、係合部７１にパネル体１０の上材３の上端の突出片３８が係合しており、固定部７２に支柱５の後側からネジを螺合してあって、ネジを回すことで引寄せ具７を後側に引き寄せ、すなわち引寄せ具７に係合するパネル体１０（上材３）を支柱５に引き寄せている。なお、図５に示すように、パネル体１０の端部（縦材１の上下端部）には、小口キャップ８を取り付けてあり、また、パネル体１０を左右に連結した箇所においては、連結部材９を取り付けてある。
【００１６】
このように構成した本発明の構造体においては、施工前の搬送時にパネル体１０が梱包状態で落下した場合、下側に位置する下材２が地面に衝突して、縦材１に固定された上材３や中間材４の荷重が下材２に対して下向きにかかるが、この衝撃荷重を、２つのネジ止め部（タッピングホール２３，２９）と、下材２の縦壁２１に略連続する縦材１の突起１１で分散して受ける。この際、縦材１の突起１１は上下に延びており、また下材２の縦壁２１も上下に延びていて、両者が上下方向の一直線上に略連続しているので、上下方向の衝撃荷重に対して強固な構造となっているとともに、特に下側のタッピングホール２３が、見込壁２２の、突起１１に隣接する位置に設けてあることにより、タッピングホール２３，２９からネジが抜けたり、下側のタッピングホール２３を設けた見込壁２２が変形したりすることがなく、縦材１と下材２のズレが発生しない。また、下材２の上側ホロー部２４の後側面を構成する壁面である見付壁２６が、縦材１の突起１１の前側に隣接しており、荷重を受けた際に突起１１が変形することを防ぐので、より強固である。さらに、下側のタッピングホール２３が前側に向けて開口しているので、荷重を受けた際に特にネジが抜けにくい。また、縦材１の突起１１の上端が上材３の突出部３７に下側から当接しており、上下反転した状態で搬送して落下した場合でも、上材３にかかる衝撃荷重を、２つのネジ止め部（タッピングホール３３，３９）と、縦材１の突起１１で分散して受けるので、タッピングホール３３，３９からネジが抜けることがなく、縦材１と上材３のズレが発生しない。
【００１７】
本発明は、上記の実施形態に限定されない。たとえば、パネル体は、縦材に少なくとも下材と上材を取り付けた構造のものであればよい。また、下材のタッピングホールが、見込壁の、縦壁に隣接する位置（下側ホロー部内）に設けてあってもよい。さらに、上材が、下材と上下対称な構造、すなわち、上材の見込壁を挟んで縦材の突起と上材の縦壁が略連続する構造を備えていてもよい。
【符号の説明】
【００１８】
１  縦材
２  下材（横材）
１１  突起
２１  縦壁
２２  見込壁
２３  タッピングホール
【図１】
2018115430.tif 000003
【図２】
2018115430.tif 000004
【図３】
2018115430.tif 000005
【図４】
2018115430.tif 000006
【図５】
2018115430.tif 000007
【図６】
2018115430.tif 000008